(57)【要約】【課題】外観や操作性を損なうことなく種々の拡張機器を連結可能な電子機器を提供する。【解決手段】タブレット型コンピュータ１は、本体部１００と、拡張機器を着脱可能であるように連結する連結部２０５を有する連結ユニット２００と、を備える。連結ユニット２００は、本体部１００の所定側部１００ａ（所定の側部）の側方に、所定側部１００ａの延設方向に平行に延びる回転軸心Ｘｒを中心として回転可能となるように、設けられている。連結ユニット２００が回転軸心Ｘｒを中心とする所定回転位置（所定の回転位置）にあるときに、連結部２０５が隠蔽されるように、本体部１００の所定側部１００ａ及び連結ユニット２００の連結部２０５の形状が設定されている。【選択図】図２Ａ
2017049839.tif 000002
【特許請求の範囲】
【請求項１】
本体部と、
拡張機器を着脱可能であるように連結する連結部を有する連結ユニットと、を備え、
前記連結ユニットは、前記本体部の所定の側部に、前記所定の側部の延設方向に平行に延びる回転軸心を中心として回転可能となるように、設けられ、
前記連結ユニットが前記回転軸心を中心とする所定の回転位置にあるときに、前記連結部が隠蔽されるように、前記本体部の前記所定の側部及び前記連結ユニットの前記連結部の形状が設定されている、
電子機器。
【請求項２】
前記本体部の前記所定の側部及び前記連結部は、前記連結ユニットが前記回転軸心を中心とする前記所定の回転位置にあるときに、前記連結部が隠蔽されるように、対向しかつ近接する形状に形成されている、
請求項１に記載の電子機器。
【請求項３】
前記本体部の前記所定の側部と前記連結ユニットの前記連結部とが対向する状態において、前記連結ユニットの外表面と前記本体部の外表面とが略面一となるように、これらの外表面が形成されている、
請求項２に記載の電子機器。
【請求項４】
前記電子機器は、タブレット型コンピュータである、
請求項１から請求項３のいずれか１項に記載の電子機器。
【請求項５】
前記拡張機器を含む、
請求項１から請求項４のいずれか１項に記載の電子機器。
【請求項６】
前記拡張機器は、磁気カードまたはＩＣカードに記録された情報を読み取るカードリーダユニットである、
請求項５に記載の電子機器。
【請求項７】
前記拡張機器は、バーコードを読み取るバーコードリーダユニットである、
請求項５に記載の電子機器。
【請求項８】
前記拡張機器は、ユーザによる入力操作を受け付けるキーボードユニットである、
請求項５に記載の電子機器。
【発明の詳細な説明】
【技術分野】
【０００１】
本開示は、拡張機器を連結可能な電子機器に関する。
【背景技術】
【０００２】
特許文献１は、キーボードを有するステーション（拡張機器）とタブレット型コンピュータとを着脱可能に連結する連結機構を開示している。
【先行技術文献】
【特許文献】
【０００３】
【特許文献１】特開２０１４−９９００７号公報
【発明の概要】
【発明が解決しようとする課題】
【０００４】
タブレット型コンピュータなどの電子機器に対して種々の拡張機器を着脱可能なように連結したいとの要求がある。この要求に対しては、特許文献１に記載の連結機構を、タブレット型コンピュータに適用することが考えられる。しかし、特許文献１に記載の連結機構は、機器の外表面から突出する構造を有しているため、電子機器の外観や操作性を損なう。
【０００５】
本開示は、外観や操作性を損なうことなく種々の拡張機器を連結可能な電子機器を提供する。
【課題を解決するための手段】
【０００６】
本開示の電子機器は、拡張機器を連結可能な電子機器である。
電子機器は、
本体部と、
拡張機器を着脱可能であるように連結する連結部を有する連結ユニットと、を備える。
連結ユニットは、本体部の所定の側部に、所定の側部の延設方向に平行に延びる回転軸心を中心として回転可能となるように、設けられる。
連結ユニットが回転軸心を中心とする所定の回転位置にあるときに、連結部が隠蔽されるように、本体部の所定の側部及び連結ユニットの連結部の形状が設定されている。
【発明の効果】
【０００７】
本開示によれば、連結ユニットが所定の回転位置にあるときに、連結部が隠蔽される。そのため、拡張機器を利用しないときは、連結ユニットを所定の回転位置に回転させることにより、連結部を隠蔽することができる。よって、電子機器の外観や操作性を損なうことなく種々の拡張機器を着脱可能なように連結できるようになる。
【図面の簡単な説明】
【０００８】
【図１Ａ】実施形態１のタブレット型コンピュータの斜視図である。
【図１Ｂ】実施形態１のタブレット型コンピュータの斜視図である。
【図２Ａ】図１ＡのＡ−Ａ線による断面図である。
【図２Ｂ】図１ＢのＢ−Ｂ線による断面図である。
【図３】図１ＡのＣ−Ｃ線による断面図である。
【図４Ａ】カードリーダユニットを連結したタブレット型コンピュータの斜視図である。
【図４Ｂ】カードリーダユニットを連結したタブレット型コンピュータの斜視図である。
【図５】カードリーダユニットをその連結部側から見た斜視図である。
【図６Ａ】図１Ｂの矢印Ｄによる矢視図である。
【図６Ｂ】図６ＡのＥ−Ｅ線による断面図である。
【図７Ａ】図５の矢印Ｆによる矢視図である。
【図７Ｂ】図７ＡのＧ−Ｇ線による断面図である（係合状態）。
【図７Ｃ】図７ＡのＧ−Ｇ線による断面図である（係合解除状態）。
【図８Ａ】バーコードリーダユニットを連結したタブレット型コンピュータの斜視図である。
【図８Ｂ】バーコードリーダユニットを連結したタブレット型コンピュータの斜視図である。
【図９Ａ】キーボードユニットを連結したタブレット型コンピュータの斜視図である。
【図９Ｂ】キーボードユニットの斜視図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者（ら）は、当業者が本開示を十分に理解するために添付図面および以下の説明を提供するのであって、これらによって特許請求の範囲に記載の主題を限定することを意図するものではない。
【００１１】
（実施の形態１）
１．構成
１−１．タブレット型コンピュータ
図１Ａ、図１Ｂは、実施形態１のタブレット型コンピュータの斜視図である。図１Ａ、図１Ｂ及びその他の図において、適宜、説明に用いる方向の定義を示している。上、下と示している方向は装置（タブレット型コンピュータ）の厚み方向（以下適宜「装置厚み方向」という）であり、タブレット型コンピュータのほぼ平行な主面に直行する方法である。左、右と示している方向は装置の幅方向（以下適宜「装置幅方向」という）である。奥、手前と示している方向は装置の奥行方向（以下適宜「装置奥行き方向」という）である。なお、これらの方向の定義は使用する際や設置する際の向きを限定するものではない。
【００１２】
タブレット型コンピュータ１は、本体部１００と、連結ユニット２００とを有する。
【００１３】
本体部１００は、タブレット型コンピュータ１としての主機能を提供する。
【００１４】
連結ユニット２００は、拡張機能を提供する種々の拡張機器をタブレット型コンピュータ１に対して着脱可能なように連結する。
【００１５】
１−１−１．本体部
本体部１００は、一方の主面１００ｆに表示部１０１を備える。表示部１０１は、例えば液晶ディスプレイにより構成される。また、表示部１０１は、タッチされた位置を示す信号を出力するポインティングデバイスとしての機能を有する。
【００１６】
また、本体部１００は、内部に、制御部、記憶部、各種の入出力インタフェース部品等を有する（図示せず）。記憶部は、例えばＲＡＭ、ＲＯＭ、ＨＤＤ、ＳＳＤ等を利用して構成され、プログラム（ＯＳ、各種アプリケーションブログラム等を含む）、及び種々のデータを格納している。プログラムは、本実施形態のタブレット型コンピュータ１の各種機能を実現するためのプログラムを含む。制御部は、例えばＣＰＵ、ＭＰＵ等を利用して構成される。制御部は、記憶部から読み出した上記プログラムに基づいて種々のデータ等を利用して演算処理を行うことにより、タブレット型コンピュータ１における各種の機能を実現する。入出力インタフェースは、拡張機器との間で各種信号を送受信するためのインタフェースである。
【００１７】
１−１−２．連結ユニット
連結ユニット２００は、本体部１００の装置奥行き方向の手前側の側部１００ａ（以下適宜「所定側部１００ａ」という）の側方に配置されている。本体部１００の所定側部１００ａは、装置幅方向中央において、装置奥行き方向の手前側に凹んだ形状を有しており、これにより、所定側部１００ａの側方に凹部１００ｂが形成されている。連結ユニット２００は、当該凹部１００ｂを利用して配置される。また、連結ユニット２００は、所定側部１００ａの延設方向に平行に延びる所定の回転軸心Ｘｒを中心として、収容凹部１００ｂ内において、ほぼ３６０°回転可能なように本体部１００により支持されている。図１Ａは、連結ユニット２００が所定回転位置にある状態を示す。所定回転位置とは、連結ユニット２００の連結部２０５が本体部１００の所定側部１００ａに収容凹部１００ｂ部分において近接し、かつ対向することにより、後述する連結部２０５が隠蔽される位置である。なお、対向は、正対に限定されない。図１Ｂは、連結ユニット２００が所定回転位置以外の回転位置にある状態の一例を示す。
【００１８】
連結ユニット２００は、当該連結ユニット２００の外表面を構成するハウジング２１０を有する。
【００１９】
図２Ａは、図１ＡのＡ−Ａ線による断面図である。図２Ｂは、図１ＢのＢ−Ｂ線による断面図である。図２Ａは、連結ユニット２００が第１回転位置にある状態を示す。図２Ｂは、連結ユニット２００が第２回転位置にある状態を示す。図２Ａに示すように、連結ユニット２００が所定回転位置にあるとき、連結ユニット２００の連結部２０５と、本体部１００の所定側部１００ａとが収容凹部１００ｂ部分において対向しかつ近接する。また、連結ユニット２００の連結部２０５と本体部１００の所定側部１００ａとが対向する状態において、連結ユニット２００の外表面と本体部１００の外表面とが略面一となるように、これらの外表面が形成されている。
【００２０】
一方、図２Ｂに示すように、連結ユニット２００が所定回転位置以外の位置にあるとき、連結ユニット２００の連結部２０５は、外部に露出する。なお、図２Ｂは、所定回転位置に対して１８０°回転させた状態を示す。これにより、連結ユニット２００の連結部２０５に拡張機器を装着することができる。
【００２１】
次に、連結ユニット２００を本体部１００により回転可能に支持する構造について説明する。図３は、図１ＡのＣ−Ｃ線による断面図である。図３に示すように、本体部１００の筐体１１０には、収容凹部１００ｂの側方の支持部１１１において、所定側部１００ａの延設方向（装置幅方向）に延びる回転軸孔１１１ａが形成されている。支持部１１１には、収容凹部１００ｂ側の面において、嵌合凹部１１１ｂが形成されている。連結ユニット２００のハウジング２１０の装置幅方向両端側には、嵌合突部２１１ｂが形成されている。嵌合突部２１１ｂは、嵌合凹部１１１ｂ内で、ネジ軸１１２（回転軸心Ｘｒ）を中心としてほぼ３６０°回転可能なように嵌合されている。これにより、連結ユニット２００は、本体部１００によりほぼ３６０°回転可能なように支持される。
【００２２】
また、本体部１００は、連結ユニット２００を、任意の回転位置において保持する保持機構を有する。保持機構としては種々の公知技術が利用可能であり、詳しい説明を省略する。
【００２３】
１−２．拡張機器
拡張機器は、例えばカードリーダユニット、バーコードリーダユニット、キーボードユニットである。ここでは、拡張機器がカードリーダユニットである場合を説明する。図４Ａ、図４Ｂは、カードリーダユニットを連結したタブレット型コンピュータの斜視図である。図５は、カードリーダユニット３００の斜視図である。図５は、カードリーダユニット３００において連結部が設けられた面側を示している。
【００２４】
これらの図に示すように、カードリーダユニット３００は、略矩形の長板状の形状を有する。カードリーダユニット３００の装置幅方向の一端側には、カードを挿入してスライド移動させることが可能なカード挿入用スリット３５１が形成されている。また、カードリーダユニット３００には、カード挿入用スリット３５１の近傍において、カードに記録された情報を読み取り可能なカードリーダ部３５０が内蔵されている。図５に示されるように、カードリーダユニット３００において連結部３１０が設けられる面には、コネクタ３３０が設けられている。
【００２５】
このような構成において、カード挿入用スリット３５１にカードが挿入されてスライド移動されると、カードリーダ部３５０は、カードに電気的あるいは磁気的に記録された情報を読み取る。カードリーダ部３５０は、読み取った情報をカードリーダユニット３００のコネクタ３３０から出力する。タブレット型コンピュータ１の本体部１００は、カードリーダユニット３００のコネクタ３３０から出力された情報を、連結ユニット２００のコネクタ２２０を介して入力する。タブレット型コンピュータ１の本体部１００は、入力した情報に基づいて種々の演算処理を行う。
【００２６】
本実施形態では、前述のように連結ユニット２００が本体部１００に対して回転可能である。そのため、カードリーダユニット３００は、タブレット型コンピュータ１に対して図４Ａや図４Ｂに示す回転位置やその中間の任意の回転位置に回転可能である。したがって、ユーザは、カードリーダユニット３００を、タブレット型コンピュータ１に対して所望の任意の回転位置に回転させ、その状態でカード挿入用スリット３５１にカードを挿入してスライドすることができる。
【００２７】
カードリーダユニット３００は、利用者が把持可能なハンドルとして利用可能なように構成されている。具体的に、カードリーダユニット３００は長板状の部材であり、その中央部に貫通孔３０１を形成することにより、利用者が把持可能な把持部３０２が形成されている。これにより、利用者は、図４Ａに示す状態のカードリーダユニット３００の把持部を把持することにより、カードリーダユニット３００を連結したタブレット型コンピュータ１を把持ハンドル付きの鞄のような態様で保持することが可能となる。
【００２８】
１−３．連結構造
連結ユニット２００と拡張機器とを着脱可能なように連結する連結構造について説明する。
【００２９】
１−３−１．連結ユニット側の連結構造
【００３０】
図２Ａ、図２Ｂに示すように、連結ユニット２００のハウジング２１０は、Ｕ字状ハウジング２１１と、連結板２１２とを有する。
【００３１】
Ｕ字状ハウジング２１１は、回転軸心Ｘｒに垂直な断面の形状がＵ字状の形状を有する。
【００３２】
連結板２１２は、回転軸心Ｘｒに垂直な断面の形状がＩ字状の形状を有する。
【００３３】
図６Ａは、図１Ｂの矢印Ｃによる矢視図である。図６Ｂは、図６ＡのＥ−Ｅ線による断面図である。
【００３４】
図６Ａ、図６Ｂに示すように、連結板２１２は、基準面部２１２ｃと、凹状壁部２１２ａと、凸状壁部２１２ｂとを有する。
【００３５】
凹状壁部２１２ａは、基準面部２１２ｃをハウジング２１０の内部側に凹ませることにより形成されている。凸状壁部２１２ｂは、基準面部２１２ｃをハウジング２１０の外部側に突出させることにより形成されている。凹状壁部２１２ａと凸状壁部２１２ｂとにより、操作部材収容空間Ｘが形成される。
【００３６】
操作部材収容空間Ｘには、操作部材２３１と、バネ２３２とが収容される。
【００３７】
操作部材２３１は、操作部２３１ａと、係合部２３１ｂと、バネ受け部２３１ｃとを有する。
【００３８】
操作部２３１ａは、Ｕ字状ハウジング２１１の側面に形成された開口２１１ａを介してハウジング２１０の外部に突出するように形成されている。開口２１１ａは、回転軸心Ｘｒの延設方向に延存する長孔である。
【００３９】
バネ受け部２３１ｃは、操作部材収容空間Ｘにおいて、凹状壁部２１２ａの縦壁部２１２ｄ側に延びる。
【００４０】
操作部材２３１は、操作部材収容空間Ｘ内において装置幅方向（回転軸心Ｘｒ方向）に移動可能である。
【００４１】
バネ２３２は、コイルバネである。バネ２３２の一端部はバネ受け部２３１ｃに嵌められ、バネ２３２の他端部は縦壁部２１２ｄに係止される。これにより、バネ２３２は、操作部材２３１を縦壁部２１２ｄから離れる側に付勢する。
【００４２】
１−３−２．拡張機器側の連結部の構造
拡張機器側の連結部の構造について説明する。図５は、カードリーダユニット３００の斜視図である。図５は、カードリーダユニット３００において連結部が設けられた面側を示している。なお、ここで、具体例として拡張機器がカードリーダユニット３００である場合について説明するが、拡張機器の連結部は、拡張機器の種類によらず同一の構造を有する。
【００４３】
カードリーダユニット３００は、タブレット型コンピュータ１の連結ユニット２００の連結部２０５に連結可能な連結部３１０を有する。連結部３１０は、左右一対の連結板３２０と、左右の連結板３２０の間に配置されたコネクタ３３０とを有する。連結部３１０は、カードリーダユニット３００の一方の主面３００ｒに設けられている。
【００４４】
図７Ａは、図５の矢印Ｆによる矢視図である。図７Ｂは、図７ＡのＧ−Ｇ線による断面図である。図７Ｂにおいて、カードリーダユニット３００と連結ユニット２００とを連結した状態での連結ユニット２００側の構造を二点鎖線で示す。
【００４５】
図５、図７Ａ、図７Ｂに示すように、連結板３２０は、突出部３２０ａと、係合凹部３２０ｂと、凹部３２０ｃとを有する。
【００４６】
突出部３２０ａは、連結板３２０の基準面部２１２ｃに対して外部側に突出する突部である。突出部３２０ａは、カードリーダユニット３００と連結ユニット２００とを連結した状態において、連結ユニット２００の連結板２１２の凹状壁部２１２ａと嵌合する形状及び位置関係で形成されている。
【００４７】
凹部３２０ｃは、連結板３２０の基準面部２１２ｃに対して内部側に凹む凹部である。凹部３２０ｃは、カードリーダユニット３００が連結ユニット２００に装着されたときに、連結ユニット２００の連結板２１２の凸状壁部２１２ｂと嵌合する形状及び位置関係で形成されている。
【００４８】
係合凹部３２０ｂは、突出部３２０ａの側部に形成された凹部である。係合凹部３２０ｂは、カードリーダユニット３００が連結ユニット２００に装着されたときに、連結ユニット２００の操作部材２３１の係合部２３１ｂと嵌合する形状及び位置関係で形成されている。
【００４９】
上記のような連結構造の作用について図７Ｂ、図７Ｃを参照して説明する。
【００５０】
まず図７Ｂを参照して、カードリーダユニット３００が連結ユニット２００に連結された状態においてユーザにより操作部２３１ａが操作されていない場合の作用を説明する。この場合、操作部材２３１は、二点鎖線で示すようにバネ２３２により縦壁部２１２ｄから離れる側に付勢される。これにより、連結ユニット２００の操作部材２３１の係合部２３１ｂと、カードリーダユニット３００の連結板３２０の係合凹部３２０ｂとは、互いに係合した状態となる。そのため、カードリーダユニット３００を連結ユニット２００から取り外すことが不可能となる。
【００５１】
一方、カードリーダユニット３００が連結ユニット２００に連結された状態において、ユーザにより操作部２３１ａが操作されると（回転軸心Ｘｒ方向において縦壁部２１２ｄ側に所定量移動されると）、図７Ｃに二点鎖線で示すように操作部材２３１が回転軸心Ｘｒ方向において縦壁部２１２ｄ側に移動される。これにより、連結ユニット２００の操作部材２３１の係合部２３１ｂと、カードリーダユニット３００の連結板３２０の係合凹部３２０ｂとの係合が解除される。そのため、カードリーダユニット３００を連結ユニット２００から取り外すことが可能となる。
【００５２】
１−４．拡張機器がバーコードリーダユニットである場合の例
拡張機器がバーコードリーダユニットである場合について説明する。図８Ａ、図８Ｂは、バーコードリーダユニットを連結したタブレット型コンピュータ１の斜視図である。
【００５３】
図８Ａ、図８Ｂに示すように、バーコードリーダユニット４００は、細長い略直方体状の形状を有する。バーコードリーダユニット４００において連結ユニット２００に接続される面とは反対側の面には、バーコード読み取り用の複数の読み取りセンサ４０１が設けられている。
【００５４】
バーコードリーダユニット４００は、連結ユニット２００との連結構造として、カードリーダユニット３００の連結部３１０と同じ構造の連結部を有する（同構造であるため図示せず）。連結部には、カードリーダユニット３００のコネクタ３３０同様のコネクタが設けられている。これにより、バーコードリーダユニット４００を、タブレット型コンピュータ１の連結ユニット２００に対して、カードリーダユニット３００同様、着脱可能なように連結できる。
【００５５】
このような構成において、バーコードリーダユニット４００の読み取りセンサ４０１上をバーコードが印刷された印刷物等を通過させると、読み取りセンサ４０１は、バーコードを読み取る。読み取りセンサ４０１は、読み取った情報をバーコードリーダユニット４００のコネクタから出力する。タブレット型コンピュータ１の本体部１００は、バーコードリーダユニット４００のコネクタから出力された情報を、連結ユニット２００のコネクタ２２０を介して入力する。タブレット型コンピュータ１の本体部１００は、入力した情報に基づいて種々の演算処理を行う。
【００５６】
ここで、本実施形態では、前述のようにタブレット型コンピュータ１の連結ユニット２００は、本体部１００に対して回転可能である。そのため、バーコードリーダユニット４００は、タブレット型コンピュータ１に対して図８Ａや図８Ｂに示す回転位置やその中間の任意の回転位置に回転可能である。したがって、ユーザは、バーコードリーダユニット４００を、タブレット型コンピュータ１に対して所望の任意の回転位置に回転させ、その状態で読み取りセンサ４０１上をバーコードが印刷された印刷物等を通過させることによりバーコードの読み取り行うことができる。
【００５７】
１−５．拡張機器がキーボードユニットである場合の例
拡張機器がキーボードユニットである場合について説明する。図９Ａ、図９Ｂは、キーボードユニットを連結したタブレット型コンピュータ１の斜視図である。
【００５８】
図９Ａ、図９Ｂに示すように、キーボードユニット５００は、略矩形の板状の形状を有する。キーボードユニット５００の上面５００ａには、複数のキー５０１と、タッチパッド５０２と、タブレット型コンピュータ１の連結ユニット２００に連結するための連結部５１０が設けられている。連結部５１０は、実施形態１の連結部３１０と同じ構造を有する。連結部５１０には、カードリーダユニット３００のコネクタ３３０同様のコネクタ５３０が設けられている。これにより、キーボードユニット５００を、連結ユニット２００に対して、カードリーダユニット３００同様に、着脱可能なように連結できる。
【００５９】
このような構成において、キーボードユニット５００のキー５０１やタッチパッド５０２に対して入力操作がなされると、キーボードユニット５００のコントローラ（図示せず）は、操作されたキー等に対応する情報をキーボードユニット５００のコネクタ５３０から出力する。タブレット型コンピュータ１の本体部１００は、キーボードユニット５００のコネクタ５３０から出力された情報を、連結ユニット２００のコネクタ２２０を介して入力する。タブレット型コンピュータ１の本体部１００は、入力した情報に基づいて種々の演算処理を行う。
【００６０】
ここで、本実施形態では、前述のようにタブレット型コンピュータ１の連結ユニット２００は、本体部１００に対して回転可能である。そのため、キーボードユニット５００は、タブレット型コンピュータ１に対して任意の回転位置に回転可能である。したがって、ユーザは、キーボードユニット５００をタブレット型コンピュータ１に対して所望の任意の回転位置に回転させ、その状態で複数のキー５０１やタッチパッド５０２に対する入力操作を行うことができる。つまり、タブレット型コンピュータ１を、ノートブック型コンピュータ的な態様で利用することができる。
【００６１】
なお、本例では、連結板３２０の前後に、図９Ｂに示すように、一対の立板５１１が設けられている。一対の立板５１１の前後の間隔は、タブレット型コンピュータ１の連結ユニット２００の厚みよりも若干大きく設定され、連結ユニット２００が連結部５１０に連結された状態において、連結ユニット２００のハウジング２１０のＵ字状ハウジング２１１の側面が立板５１１に近接した状態で対向するようになっている。これにより、連結ユニット２００がキーボードユニット５００の連結部５１０に連結された状態において、連結ユニット２００が前や後に傾くのを防止することができる。
【００６２】
２．作用
本実施形態のタブレット型コンピュータ１によれば、上述のように種々の拡張機器を連結可能である。また、連結ユニット２００は、本体部１００が有する回転軸心Ｘｒを中心として回転可能である。そのため、連結した拡張機器を、タブレット型コンピュータ１に対して様々な回転角度に回転させることができる。したがって、拡張機器を接続したタブレット型コンピュータ１を、利用環境に応じた形状に変化させて様々な態様で利用することが可能となる。
【００６３】
また、連結ユニット２００を所定回転位置に回転させると、本体部１００の所定側部１００ａと連結ユニット２００の連結部２０５とが近接し、かつ対向する。これにより、操作部材２３１や凹状壁部２１２ａ等の連結部２０５が露出している連結部２０５が隠蔽される。よって、拡張機器を利用しないときには、連結ユニット２００を所定回転位置に回転させることにより、タブレット型コンピュータ１の良好な外観及び操作性を得ることができる。
【００６４】
また、連結ユニット２００を所定回転位置に回転させた状態においては、連結ユニット２００の外表面と本体部１００の外表面とが略面一となる。よって、拡張機器を利用していないときにおけるタブレット型コンピュータ１の外観がより向上する。また、ユーザが連結ユニット２００の側部を把持した場合の把持性がより良好なものとなる。
【００６５】
特に、タブレット型コンピュータ１は、単独で利用される場合、いずれかの側部がユーザにより把持される場合が多い。そのため、タブレット型コンピュータ１の外表面上にはコネクタ２２０や連結部２０５が露出せず、把持しやすい形状であることが望ましい。また、外観の美観の観点からも露出しない方が好ましい。本実施形態によれば、コネクタ２２０や連結部２０５を隠蔽することができるので、タブレット型コンピュータ１における上述の課題を適切に解決することができる。
【００６６】
加えて、タブレット型コンピュータ１の連結ユニット２００を回転可能としたことにより、拡張機器には回転のための構造を設ける必要がない。そのため、拡張機器側には回転のための構造を設ける必要がない。よって、拡張機器の構成を複雑化させることなく、拡張機器を回転させることが可能となる。
【００６７】
３．効果等
本開示のタブレット型コンピュータ１（電子機器）は、
本体部１００と、
拡張機器を着脱可能であるように連結する連結部２０５を有する連結ユニット２００と、を備える。
連結ユニット２００は、本体部１００の所定側部１００ａ（所定の側部）の側方に、所定側部１００ａの延設方向に平行に延びる回転軸心Ｘｒを中心として回転可能となるように、設けられている。
連結ユニット２００が回転軸心Ｘｒを中心とする所定回転位置（所定の回転位置）にあるときに、連結部２０５が隠蔽されるように、本体部１００の所定側部１００ａ及び連結ユニット２００の連結部２０５の形状が設定されている。
【００６８】
これにより、連結ユニット２００が所定の回転位置にあるときに、連結ユニット２００の連結部２０５が隠蔽される。そのため、拡張機器を利用しないときは、連結ユニット２００を所定の回転位置に回転させることにより、連結部２０５を隠蔽することができる。よって、タブレット型コンピュータ１の外観や操作性を損なうことなく種々の拡張機器が着脱可能なように連結できるようになる。
【００６９】
本実施形態において、
本体部１００の所定側部１００ａ及び連結ユニット２００の連結部２０５は、連結ユニット２００が回転軸心Ｘｒを中心とする所定の回転位置にあるときに、連結部２０５が隠蔽されるように、対向しかつ近接する形状に形成されている。
【００７０】
これにより、簡単な構造で、連結部２０５を隠蔽することができる。
【００７１】
本実施形態において、
本体部１００の所定側部１００ａと連結ユニット２００の連結部２０５とが対向する状態において、連結ユニット２００の外表面と本体部１００の外表面とが略面一となるように、これらの外表面が形成されている。
【００７２】
これにより、拡張機器を利用していないときにおける電子機器の外観や把持性をより向上させることができる。
【００７３】
本実施形態において、
本開示の電子機器は、タブレット型コンピュータ１である。
【００７４】
これにより、タブレット型コンピュータ１において、上述の各種の優れた効果が奏される。
【００７５】
本開示の電子機器は、タブレット型コンピュータ１（電子機器）と、タブレット型コンピュータ１の連結ユニット２００に連結可能な拡張機器とを含んでもよい。拡張機器は、例えば、磁気カードまたはＩＣカードに記録された情報を読み取るカードリーダユニット３００である。拡張機器は、例えば、バーコードを読み取るバーコードリーダユニット４００である。拡張機器は、例えば、ユーザによる入力操作を受け付けるキーボードユニット５００である。
【００７６】
（他の実施形態）
以上のように、本開示における技術の例示として、実施の形態１を説明した。しかしながら、本開示における技術は、これに限定されず、適宜、変更、置き換え、付加、省略などを行った実施の形態にも適用可能である。
そこで、以下、他の実施の形態を説明する。
【００７７】
前記実施形態では、電子機器は、タブレット型コンピュータ１である。しかし、本開示において、電子機器はこれに限定されない。電子機器は、ノートブック型コンピュータ、撮像装置、映像再生装置、音楽再生装置、記憶媒体装置、外部記憶媒体再生及び／または記録装置などであってもよい。また、電子機器は、さらに拡張機器を含んでもよい。
【００７８】
前記実施形態では、拡張機器は、カードリーダユニット３００、バーコードリーダユニット４００、またはキーボードユニット５００である。しかし、本開示において、拡張機器はこれらに限定されない。拡張機器は、撮像装置ユニット、映像再生装置ユニット、音楽再生装置ユニット、記憶媒体装置ユニット、外部記憶媒体再生及び／または記録装置ユニットなどであってもよい。
【００７９】
以上のように、本開示における技術の例示として、実施の形態を説明した。そのために、添付図面および詳細な説明を提供した。
【００８０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８１】
また、上述の実施の形態は、本開示における技術を例示するためのものであるから、特許請求の範囲またはその均等の範囲において種々の変更、置き換え、付加、省略などを行うことができる。
【産業上の利用可能性】
【００８２】
本開示は、拡張機器を着脱可能な電子機器に広く利用可能である。
【符号の説明】
【００８３】
１  タブレット型コンピュータ
１００  本体部
１００ａ  所定側部
１００ｂ  収容凹部
１００ｆ  主面
１０１  表示部
１１０  筐体
１１１ａ  回転軸孔
１１１ｂ  嵌合凹部
１１１  支持部
１１２  ネジ軸
２００  連結ユニット
２０５  連結部
２１０  ハウジング
２１１  Ｕ字状ハウジング
２１１ａ  開口
２１１ｂ  嵌合突部
２１２  連結板
２１２ａ  凹状壁部
２１２ｂ  凸状壁部
２１２ｃ  基準面部
２１２ｄ  縦壁部
２２０  コネクタ
２３１  操作部材
２３１ａ  操作部
２３１ｂ  係合部
２３１ｃ  バネ受け部
２３２  バネ
３００  カードリーダユニット
３００ｒ  一方の主面
３０１  貫通孔
３０２  把持部
３１０  連結部
３２０  連結板
３２０ａ  突出部
３２０ｂ  係合凹部
３２０ｃ  凹部
３２０ｄ  基準面部
３３０  コネクタ
３５０  カードリーダ部
３５１  カード挿入用スリット
４００  バーコードリーダユニット
４０１  読み取りセンサ
５００  キーボードユニット
５００ａ  上面
５０１  キー
５０２  タッチパッド
５１０  連結部
５１１  立板
５３０  コネクタ
Ｘ  操作部材収容空間
Ｘｒ  回転軸心
【図１Ａ】
2017049839.tif 000003
【図１Ｂ】
2017049839.tif 000004
【図２Ａ】
2017049839.tif 000005
【図２Ｂ】
2017049839.tif 000006
【図３】
2017049839.tif 000007
【図４Ａ】
2017049839.tif 000008
【図４Ｂ】
2017049839.tif 000009
【図５】
2017049839.tif 000010
【図６Ａ】
2017049839.tif 000011
【図６Ｂ】
2017049839.tif 000012
【図７Ａ】
2017049839.tif 000013
【図７Ｂ】
2017049839.tif 000014
【図７Ｃ】
2017049839.tif 000015
【図８Ａ】
2017049839.tif 000016
【図８Ｂ】
2017049839.tif 000017
【図９Ａ】
2017049839.tif 000018
【図９Ｂ】
2017049839.tif 000019